【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のワイヤレス通信デバイスによって、第２のネットワークに関連する第２のデバイスから、前記第１のワイヤレス通信デバイスが第１のネットワークによるカバレッジ内にあるかどうかに関する情報を取得することと、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定することと、
前記アイコンを表示するという決定に応答して、前記第１のワイヤレス通信デバイスによって、前記第１のワイヤレス通信デバイスに結合されたディスプレイ上に前記アイコンを表示することと、
を備える、方法。
【請求項２】
前記第１のワイヤレス通信デバイスが、前記第１のネットワークへの前記第１のワイヤレス通信デバイスの前記接続性をサポートするために前記第２のネットワークを利用する非スタンドアロンモードをサポートする、または、
前記第１のネットワークが５Ｇネットワークを含み、前記第２のネットワークが４Ｇネットワークを含む、または、
前記第２のネットワークがＬＴＥネットワークを含む、または、
前記アイコンが、前記第１のネットワークに関連するモバイルネットワーク信号強度インジケータを含む、または、
前記第２のデバイスが、前記第２のネットワークをサポートするセルを含む、または、
前記第１のネットワークが、新無線（ＮＲ）セルに関連する、または、
前記情報を取得することが、前記第１のワイヤレス通信デバイスが前記第１のネットワークによるカバレッジ内にあるかどうかのインジケーションを有するシステム情報ブロック（ＳＩＢ）を受信することを含み、前記第２のデバイスが前記ＳＩＢをブロードキャストする、請求項１に記載の方法。
【請求項３】
前記情報を取得することが、前記第２のデバイスから周波数リストを受信することを含み、前記周波数リストが、前記第１のネットワークが動作する１つまたは複数の周波数を含む、請求項１に記載の方法。
【請求項４】
ＳＩＢが前記周波数リストを含む、または、
前記第２のデバイスが前記周波数リストをブロードキャストする、請求項３に記載の方法。
【請求項５】
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＳＳ（プライマリ信号強度）およびＮＲ−ＳＳＳ（セカンダリ信号強度）を含む同期信号（ＳＳ）ブロックを受信すること、前記第３のワイヤレス通信デバイスが、前記第１のネットワークをサポートするセルを含む、と、
前記ＮＲ−ＰＳＳおよび前記ＮＲ−ＳＳＳの信号強度を測定することと、
前記信号強度がしきい値を満たすかどうか決定することと、
前記信号強度が前記しきい値を満たすという決定に応答して、前記アイコンを表示することを決定することと、
前記信号強度が前記しきい値を満たさないという決定に応答して、前記アイコンを表示しないことを決定することと、
をさらに備える、または、
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＢＣＨ（物理ブロードキャストチャネル）を含むＳＳブロックを受信すること、前記第３のワイヤレス通信デバイスが、前記第１のネットワークをサポートするセルを含む、と、
前記ＮＲ−ＰＢＣＨに関連する周波数チャネルのＮＲバンド幅およびシステムフレーム番号情報を決定することと、
前記第１のワイヤレス通信デバイスが前記第１のネットワークによるカバレッジ内にあるかどうか決定するために、前記システムフレーム番号情報および前記ＮＲバンド幅に基づいて、ＣＳＩ−ＲＳ（チャネル状態情報基準信号）を測定することと、
をさらに備える、請求項３に記載の方法。
【請求項６】
前記情報を取得することが、前記第２のデバイスによって構成される測定対象であり、前記第１のネットワークが動作する周波数であって且つ周波数チャネルのバンド幅を提供する周波数を指定する周波数リストを含む測定対象を、受信することを含み、前記方法がさらに、
前記第１のワイヤレス通信デバイスによって、前記測定対象に従った前記１つまたは複数の周波数を探索することと、
前記第１のワイヤレス通信デバイスが前記第１のネットワークによるカバレッジ内にあるかどうか決定するために前記１つまたは複数の周波数を測定することと、
を備える、請求項１に記載の方法。
【請求項７】
前記測定対象がＮＲ測定対象であり、前記周波数リストが前記ＮＲネットワークが動作するＮＲ周波数を指定する、または、
前記情報を取得することが、前記情報を記憶する取得データベースから前記情報を取り出すことを含み、前記情報が、前記第１のネットワークがそれ内で動作するＮＲ周波数を含む、請求項６に記載の方法。
【請求項８】
前記アイコンを表示するかどうか決定することが、前記第１のワイヤレス通信デバイスによって、前記第１のワイヤレス通信デバイスが前記第１のネットワークへのサブスクリプションを有するかどうか決定することを含み、前記方法がさらに、
前記第１のワイヤレス通信デバイスが前記サブスクリプションを有しないという決定に応答して、前記ディスプレイ上で前記第１のネットワークによるカバレッジを報告しないこと、
を備える、請求項１に記載の方法。
【請求項９】
前記第１のワイヤレス通信デバイスは、前記第１のワイヤレス通信デバイスが前記第１のネットワークへの前記サブスクリプションを有するかどうか示すユニバーサル集積回路カード（ＵＩＣＣ）を含む、請求項８に記載の方法。
【請求項１０】
前記アイコンを表示するかどうか決定することは、前記第１のワイヤレス通信デバイスによって、前記第１のワイヤレス通信デバイスが前記第１のネットワークへの接続を制限されているかどうか決定することを含み、前記方法がさらに、
前記第１のワイヤレス通信デバイスが前記第１のネットワークへの接続を制限されているという決定に応答して、前記ディスプレイ上で前記第１のネットワークによるカバレッジを報告しないこと、
を備える、請求項１に記載の方法。
【請求項１１】
前記アイコンを表示するかどうか決定することが、前記第１のワイヤレス通信デバイスによって、前記第２のデバイスがデュアル接続性をサポートするかどうか決定することを含み、前記方法がさらに、
前記第２のデバイスがデュアル接続性をサポートしないという決定に応答して、前記ディスプレイ上で前記第１のネットワークによるカバレッジを報告しないこと、
を備える、請求項１に記載の方法。
【請求項１２】
前記第１のワイヤレス通信デバイスが、複数の状態のうちの最大でも１つの状態にあり、前記第１のワイヤレス通信デバイスが、前記第１のおよび第２のネットワークに同時に接続されている場合、前記第１のワイヤレス通信デバイスは第１の接続モードにあり、前記第１のワイヤレス通信デバイスが前記第２のネットワークに接続されているが前記第１のネットワークには接続されていない場合、前記第１のワイヤレス通信デバイスは第２の接続モードにあり、前記第１のワイヤレス通信デバイスがアイドルである場合、前記第１のワイヤレス通信デバイスは、前記第２のネットワークに接続されているが前記第１のネットワークには接続されていないアイドルモードにある、請求項１に記載の方法。
【請求項１３】
前記アイコンを表示するかどうか決定することは、前記第１のワイヤレス通信デバイスによって、前記第１のワイヤレス通信デバイスが前記第１のまたは第２の接続モードにある間に、前記第２のネットワークが無線リンク障害（ＲＬＦ）を含むかどうか決定することを含み、前記方法がさらに、
前記第１のワイヤレス通信デバイスが前記第１のまたは第２の接続モードにある間に前記第２のネットワークが前記ＲＬＦを含むという決定に応答して、前記ディスプレイ上で前記第１のネットワークによるカバレッジを報告しないこと、
を備える、または、
前記アイコンを表示するかどうか決定することが、前記第１のワイヤレス通信デバイスによって、前記第１のワイヤレス通信デバイスが前記アイドルモードにある間、前記第２のネットワークがアウトオブサービス（ＯＯＳ）かどうか検出することを含み、前記方法がさらに、
前記第１のワイヤレス通信デバイスが前記アイドルモードにある間、前記第２のネットワークがＯＯＳであることを検出することに応答して、前記ディスプレイ上で前記第１のネットワークによるカバレッジを報告しないこと、
を備える、請求項１２に記載の方法。
【請求項１４】
ワイヤレス通信のための装置であって、
請求項１〜１３のいずれか一項に記載のステップを実行するように配置された手段
を備える、装置。
【請求項１５】
プログラムコードを記録したコンピュータ読み取り可能な媒体であって、コンピュータによって実行された時に請求項１から１３のいずれか一項に記載のステップを実行するコンピュータ読み取り可能な媒体。
【手続補正２】
【補正対象書類名】明細書
【補正対象項目名】００７０
【補正方法】変更
【補正の内容】
【００７０】
[0081]  これより当業者が認識することになるように、そして間近の特定の用途に応じて、多くの修正、置換え、およびバリエーションが、本開示のデバイスの素材、装置、構成、および使用方法において、およびそれらに対して、その精神および範囲から逸脱することなく、成されることができる。この点から、ここに例示および説明された特定の実施形態は本開示の単なるいくつかの例であるので、本開示の範囲はそれらの範囲に限定されるべきではなく、むしろ、以下に添付される特許請求の範囲およびそれらの機能的な同等物の適用範囲（the scope）全体に相応するべきである。
以下に本願の出願当初の特許請求の範囲に記載された発明を付記する。
［Ｃ１］
ワイヤレス通信の方法であって、
第１のワイヤレス通信デバイスによって、第２のネットワークに関連する第２のデバイスから、前記第１のワイヤレス通信デバイスが第１のネットワークによるカバレッジ内にあるかどうかに関する情報を取得することと、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定することと、
前記アイコンを表示するという決定に応答して、前記第１のワイヤレス通信デバイスによって、前記第１のワイヤレス通信デバイスに結合されたディスプレイ上に前記アイコンを表示することと、
を備える、方法。
［Ｃ２］
前記第１のワイヤレス通信デバイスが、前記第１のネットワークへの前記第１のワイヤレス通信デバイスの前記接続性をサポートするために前記第２のネットワークを利用する非スタンドアロンモードをサポートする、Ｃ１に記載の方法。
［Ｃ３］
前記第１のネットワークが５Ｇネットワークを含み、前記第２のネットワークが４Ｇネットワークを含む、Ｃ１に記載の方法。
［Ｃ４］
前記第２のネットワークがＬＴＥネットワークを含む、Ｃ１に記載の方法。
［Ｃ５］
前記アイコンが、前記第１のネットワークに関連するモバイルネットワーク信号強度インジケータを含む、Ｃ１に記載の方法。
［Ｃ６］
前記第２のデバイスが、前記第２のネットワークをサポートするセルを含む、Ｃ１に記載の方法。
［Ｃ７］
前記第１のネットワークが、新無線（ＮＲ）セルに関連する、Ｃ１に記載の方法。
［Ｃ８］
前記情報を取得することが、前記第１のワイヤレス通信デバイスが前記第１のネットワークによるカバレッジ内にあるかどうかのインジケーションを有するシステム情報ブロック（ＳＩＢ）を受信することを含み、前記第２のデバイスが前記ＳＩＢをブロードキャストする、Ｃ１に記載の方法。
［Ｃ９］
前記情報を取得することが、前記第２のデバイスから周波数リストを受信することを含み、前記周波数リストが、前記第１のネットワークが動作する１つまたは複数の周波数を含む、Ｃ１に記載の方法。
［Ｃ１０］
ＳＩＢが前記周波数リストを含む、Ｃ９に記載の方法。
［Ｃ１１］
前記第２のデバイスが前記周波数リストをブロードキャストする、Ｃ９に記載の方法。
［Ｃ１２］
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＳＳ（プライマリ信号強度）およびＮＲ−ＳＳＳ（セカンダリ信号強度）を含む同期信号（ＳＳ）ブロックを受信すること、前記第３のワイヤレス通信デバイスが、前記第１のネットワークをサポートするセルを含む、と、
前記ＮＲ−ＰＳＳおよび前記ＮＲ−ＳＳＳの信号強度を測定することと、
前記信号強度がしきい値を満たすかどうか決定することと、
前記信号強度が前記しきい値を満たすという決定に応答して、前記アイコンを表示することを決定することと、
前記信号強度が前記しきい値を満たさないという決定に応答して、前記アイコンを表示しないことを決定することと、
をさらに備える、Ｃ９に記載の方法。
［Ｃ１３］
前記周波数リスト中にリストされた１つまたは複数の周波数について、
前記第１のワイヤレス通信デバイスによって、第３のワイヤレス通信デバイスから、前記それぞれの周波数に関連するＮＲ−ＰＢＣＨ（物理ブロードキャストチャネル）を含むＳＳブロックを受信すること、前記第３のワイヤレス通信デバイスが、前記第１のネットワークをサポートするセルを含む、と、
前記ＮＲ−ＰＢＣＨに関連する周波数チャネルのＮＲバンド幅およびシステムフレーム番号情報を決定することと、
前記第１のワイヤレス通信デバイスが前記第１のネットワークによるカバレッジ内にあるかどうか決定するために、前記システムフレーム番号情報および前記ＮＲバンド幅に基づいて、ＣＳＩ−ＲＳ（チャネル状態情報基準信号）を測定することと、
をさらに備える、Ｃ９に記載の方法。
［Ｃ１４］
前記情報を取得することが、前記第２のデバイスによって構成される測定対象であり、前記第１のネットワークが動作する周波数であって且つ周波数チャネルのバンド幅を提供する周波数を指定する周波数リストを含む測定対象を、受信することを含み、前記方法がさらに、
前記第１のワイヤレス通信デバイスによって、前記測定対象に従った前記１つまたは複数の周波数を探索することと、
前記第１のワイヤレス通信デバイスが前記第１のネットワークによるカバレッジ内にあるかどうか決定するために前記１つまたは複数の周波数を測定することと、
を備える、Ｃ１に記載の方法。
［Ｃ１５］
前記測定対象がＮＲ測定対象であり、前記周波数リストが前記ＮＲネットワークが動作するＮＲ周波数を指定する、Ｃ１４に記載の方法。
［Ｃ１６］
前記情報を取得することが、前記情報を記憶する取得データベースから前記情報を取り出すことを含み、前記情報が、前記第１のネットワークがそれ内で動作するＮＲ周波数を含む、Ｃ１に記載の方法。
［Ｃ１７］
前記アイコンを表示するかどうか決定することが、前記第１のワイヤレス通信デバイスによって、前記第１のワイヤレス通信デバイスが前記第１のネットワークへのサブスクリプションを有するかどうか決定することを含み、前記方法がさらに、
前記第１のワイヤレス通信デバイスが前記サブスクリプションを有しないという決定に応答して、前記ディスプレイ上で前記第１のネットワークによるカバレッジを報告しないこと、
を備える、Ｃ１に記載の方法。
［Ｃ１８］
前記第１のワイヤレス通信デバイスは、前記第１のワイヤレス通信デバイスが前記第１のネットワークへの前記サブスクリプションを有するかどうか示すユニバーサル集積回路カード（ＵＩＣＣ）を含む、Ｃ１７に記載の方法。
［Ｃ１９］
前記アイコンを表示するかどうか決定することは、前記第１のワイヤレス通信デバイスによって、前記第１のワイヤレス通信デバイスが前記第１のネットワークへの接続を制限されているかどうか決定することを含み、前記方法がさらに、
前記第１のワイヤレス通信デバイスが前記第１のネットワークへの接続を制限されているという決定に応答して、前記ディスプレイ上で前記第１のネットワークによるカバレッジを報告しないこと、
を備える、Ｃ１に記載の方法。
［Ｃ２０］
前記アイコンを表示するかどうか決定することが、前記第１のワイヤレス通信デバイスによって、前記第２のデバイスがデュアル接続性をサポートするかどうか決定することを含み、前記方法がさらに、
前記第２のデバイスがデュアル接続性をサポートしないという決定に応答して、前記ディスプレイ上で前記第１のネットワークによるカバレッジを報告しないこと、
を備える、Ｃ１に記載の方法。
［Ｃ２１］
前記第１のワイヤレス通信デバイスが、複数の状態のうちの最大でも１つの状態にあり、前記第１のワイヤレス通信デバイスが、前記第１のおよび第２のネットワークに同時に接続されている場合、前記第１のワイヤレス通信デバイスは第１の接続モードにあり、前記第１のワイヤレス通信デバイスが前記第２のネットワークに接続されているが前記第１のネットワークには接続されていない場合、前記第１のワイヤレス通信デバイスは第２の接続モードにあり、前記第１のワイヤレス通信デバイスがアイドルである場合、前記第１のワイヤレス通信デバイスは、前記第２のネットワークに接続されているが前記第１のネットワークには接続されていないアイドルモードにある、Ｃ１に記載の方法。
［Ｃ２２］
前記アイコンを表示するかどうか決定することは、前記第１のワイヤレス通信デバイスによって、前記第１のワイヤレス通信デバイスが前記第１のまたは第２の接続モードにある間に、前記第２のネットワークが無線リンク障害（ＲＬＦ）を含むかどうか決定することを含み、前記方法がさらに、
前記第１のワイヤレス通信デバイスが前記第１のまたは第２の接続モードにある間に前記第２のネットワークが前記ＲＬＦを含むという決定に応答して、前記ディスプレイ上で前記第１のネットワークによるカバレッジを報告しないこと、
を備える、Ｃ２１に記載の方法。
［Ｃ２３］
前記アイコンを表示するかどうか決定することが、前記第１のワイヤレス通信デバイスによって、前記第１のワイヤレス通信デバイスが前記アイドルモードにある間、前記第２のネットワークがアウトオブサービス（ＯＯＳ）かどうか検出することを含み、前記方法がさらに、
前記第１のワイヤレス通信デバイスが前記アイドルモードにある間、前記第２のネットワークがＯＯＳであることを検出することに応答して、前記ディスプレイ上で前記第１のネットワークによるカバレッジを報告しないこと、
を備える、Ｃ２１に記載の方法。
［Ｃ２４］
ワイヤレス通信のためのシステムであって、
第２のネットワークに関連する第２のデバイスから、第１のワイヤレス通信デバイスが第１のネットワークによるカバレッジ内にあるかどうかに関する情報を取得する受信機と、ここにおいて、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するユーザインタフェース（ＵＩ）と、ここにおいて、前記アイコンを表示するという決定に応答して、前記ＵＩは、前記第１のワイヤレス通信デバイスに結合されたディスプレイ上に前記アイコンを表示する、
を備える、システム。
［Ｃ２５］
前記第１のネットワークが５Ｇネットワークを含む、Ｃ２４に記載のシステム。
［Ｃ２６］
前記第２のネットワークが４Ｇネットワークを含む、Ｃ２４に記載のシステム。
［Ｃ２７］
前記第２のネットワークがＬＴＥネットワークを含む、Ｃ２４に記載のシステム。
［Ｃ２８］
前記第２のデバイスが、前記第２のネットワークをサポートするＬＴＥセルを含む、Ｃ２４に記載のシステム。
［Ｃ２９］
ワイヤレス通信のための装置であって、
第１のワイヤレス通信デバイスによって、第２のネットワークに関連する第２のデバイスから、前記第１のワイヤレス通信デバイスが第１のネットワークによるカバレッジ内にあるかどうかに関する情報を取得するための手段と、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するための手段と、
前記アイコンを表示するという決定に応答して、前記第１のワイヤレス通信デバイスによって、前記第１のワイヤレス通信デバイスに結合されたディスプレイ上に前記アイコンを表示するための手段と、
を備える、装置。
［Ｃ３０］
プログラムコードを記録したコンピュータ読み取り可能な媒体であって、前記プログラムコードが、
第１のワイヤレス通信デバイスによって、第２のネットワークに関連する第２のデバイスから、前記第１のワイヤレス通信デバイスが第１のネットワークによるカバレッジ内にあるかどうかに関する情報を取得するためのコードと、前記第１のワイヤレス通信デバイスは、前記第１のネットワークおよび前記第２のネットワークとのデュアル接続性をサポートする、
前記情報に少なくとも部分的に基づいて、前記第１のワイヤレス通信デバイスが前記第１のネットワークに接続されていることを示すアイコンを表示するかどうか決定するためのコードと、
前記アイコンを表示するという決定に応答して、前記第１のワイヤレス通信デバイスによって、前記第１のワイヤレス通信デバイスに結合されたディスプレイ上に前記アイコンを表示するためのコードと、
を備える、コンピュータ読み取り可能な媒体。